(57)【要約】【課題】室内ユニット本体に配置されている、熱交換器からの凝縮水を受けるドレンパンと室内ユニット本体の外郭を形成する底板の取り付け構造において、安価で組み立て工数が低く、かつ露付き性能のよいものを生産すること。【解決手段】室内ユニット本体１の内部に、配置されている発泡スチロールで成形されたドレンパン５と室内ユニット本体１の外郭を形成する底板９を一体で成型することにより、ドレンパン５と室内ユニット本体１とを固定するビス等が不要で、ドレンパン５と底板９との隙間が発生することが無くなるため、安価で組み立て工数が低く、かつ露付き性能のよい室内ユニットの生産が可能となる。【選択図】図１
2006317068.tif 000002
【特許請求の範囲】
【請求項１】
室内ユニット本体内部に送風機と仕切板と熱交換器とドレンパンとを備え、吹出し口に吹出しダクトフランジを備えたダクト型空気調和機において、前記ドレンパンと前記室内ユニット本体の外郭を形成する底板とが一体で成型されたことを特徴とする空気調和機。
【請求項２】
ドレンパンと吹出し口にある吹出しダクトフランジとが一体で成型されたことを特徴とする請求項１に記載の空気調和機。
【請求項３】
ドレンパンの成形材料に発泡スチロールを用いたことを特徴とする請求項１又は２に記載の空気調和機。
【発明の詳細な説明】
【技術分野】
【０００１】
本発明は室内ユニットのコスト低減および組み立て工数削減および露付き性能向上を可能とした空気調和機に関するものである。
【背景技術】
【０００２】
従来、この種の空気調和機は天井内に設置され、室内ユニット設置後に容易にサービスができるよう、熱交換器やファンモーター等の各部品が底面から取り外しできるような構造になっている（例えば、特許文献１参照）。
【０００３】
図３は、特許文献１に記載された従来の空気調和機の側面断面図を示すものである。また、図４は従来の空気調和機のドレンパン取付図を示すものである。また、図５は従来の空気調和機の吹出し口周辺断面図を示すものである。また、図６は従来の空気調和機の吹出し口周辺シール材貼付け図を示すものである。
【０００４】
図３、図４、図５および図６に示すように、室内ユニット本体１の内部に、送風機２が仕切板３を介して固定されている。さらにその前方に熱交換器４が配置され、熱交換器４の下方に凝縮水を受けるドレンパン５が配置されている。ドレンパン５は発泡スチロールで成形されているため、断熱材等の貼付けは不要である。ドレンパン５は仕切板３のような室内ユニット本体１の構成部にドレンパン取付部材１３を用いて固定されている。送風機２の吸込み口６から吸込んだ空気は熱交換器４を通過して矢印の方向へ吐出される。室内ユニット本体１の外郭は天板７と側板８と底板９と吹出しダクトフランジ１０と吸込みダクトフランジ１１にて構成されており、室内ユニット本体１を天井内に設置後、部品交換等のサービス時に下方から底板９を外すことにより、ドレンパン５や熱交換器４を容易に外すことができるような形状となっている。
【特許文献１】特開２００１−２２７７６８号公報
【発明の開示】
【発明が解決しようとする課題】
【０００５】
しかしながら、前記従来の構成では、底板９を外した際にドレンパン５が外れてしまうので、ドレンパン５を仕切板３のような室内ユニット本体１の構成部のドレンパン固定部材１３を用いて固定しなければならないという課題を有していた。また、吹出し口１２近傍の風が組み立てバラツキ等により発生した吹出しダクトフランジ１０とドレンパン５との隙間へ入り込み、その影響で吹出しダクトフランジ１０およびドレンパン５下部にある底板９に結露水が発生する恐れがあるため、隙間発生を防止するためのシール材１４等が必要であるという課題を有していた。
【０００６】
本発明は、前記従来の課題を解決するもので、ドレンパンを室内ユニット本体に固定するためのビス等の部材を用いることなく、またダクトフランジとドレンパンとの間をシールするシール材等を用いることなく、安価で組み立て工数を削減することができ、かつ露付き性能のよい空気調和機を提供することを目的とする。
【課題を解決するための手段】
【０００７】
前記従来の課題を解決するために、本発明の空気調和機は、室内ユニット本体内部に送風機と仕切板と熱交換器とドレンパンとを備え、吹出し口に吹出しダクトフランジを備えたダクト型空気調和機において、ドレンパンと室内ユニット本体の外郭を形成する底板とが一体で成型されたものである。これによって、ドレンパンを室内ユニット本体に固定するためのビス等の部材が不要となり、安価で組み立て工数が低く、かつ底板とドレンパン
との隙間が発生しないため、露付き性能のよい室内ユニットの生産が可能となる。
【０００８】
また、ドレンパンと吹出しダクトフランジが一体で成型されたことにより、吹出しダクトフランジとドレンパンとの間に隙間が発生することなく、隙間発生を防止するためのシール材等が不要となり、安価で露付き性能のよい室内ユニットの生産が可能となる。
【発明の効果】
【０００９】
本発明の空気調和機は、ドレンパンと室内ユニット本体の外郭および吹出しダクトフランジの構造に関して、コストダウンが計れ、かつ組み立て工数を削減することができ、かつ露付き性能がよくなる。
【発明を実施するための最良の形態】
【００１０】
第１の発明は室内ユニット本体内部に送風機と仕切板と熱交換器とドレンパンとを備え、吹出し口に吹出しダクトフランジを備えたダクト型空気調和機において、ドレンパンと室内ユニット本体の外郭を形成する底板とが一体で成型されているため、ドレンパンと室内ユニット本体との固定に必要なビス等の部材が不要となり、安価で組み立て工数が低くかつ底板とドレンパンとの隙間が発生することがないため、露付き性能のよい室内ユニットの生産が可能となる。
【００１１】
第２の発明は、特に、第１の発明の空気調和機において、ドレンパンと吹出しダクトフランジが一体で成型されたことにより、吹出しダクトフランジとドレンパンとの間に隙間が発生することなく、隙間発生を防止するためのシール材等が不要となり、安価で組み立て工数が低い室内ユニットの生産が可能となる。
【００１２】
第３の発明は、ドレンパンの成形に発泡スチロールを用いたもので、安価な材料で断熱効果も高く、成形も容易である。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の側面断面図を示すものである。
【００１５】
図１において、室内ユニット本体１の内部に、送風機２が仕切板３を介して固定されている。さらにその前方に熱交換器４が配置され、熱交換器４の下方に凝縮水を受けるドレンパン５が配置されている。ドレンパン５は表面の防水シートとともに発泡スチロールで成形されているため、断熱材等の貼付けは不要である。ドレンパン５は室内ユニット本体１の外郭を形成する底板９と一体で成型されている。底板９とドレンパン５が一体で成型されているため、底板９とドレンパン５との間に隙間が発生することはない。
【００１６】
さらに、底板９と側板８とを取付ネジ等で固定するため、ドレンパン５と室内ユニット本体１との固定は不要となる。室内ユニット本体１を天井内に設置後、部品交換等のサービス時に下方からドレンパン５と一体で成型された底板９を外すことにより、熱交換器４を容易に外すことができるような形状となっている。
【００１７】
以上のように、本実施の形態においては室内ユニット本体内部に送風機と仕切板と熱交換器とドレンパンとを備え、吹出し口に吹出しダクトフランジを備えたダクト型空気調和機において、ドレンパンと室内ユニット本体の外郭を形成する底板とが一体で成型されたことにより、安価で組み立て工数が低く、かつ露付き性能のよい室内ユニットの生産が可
能となる。
【００１８】
（実施の形態２）
図２は、本発明の第２の実施の形態の空気調和機の吹出し口下部近傍の断面図である。
【００１９】
図２において、室内ユニット本体１の前方に取り付けられている吹出しダクトフランジ１０と底板９とドレンパン５が一体に成型されており、吹出しダクトフランジ１０の先端まで、発泡スチロールが回り込んでいる。このことにより、ドレンパン５と底板９および吹出しダクトフランジ１０との間に隙間が発生することはない。
【００２０】
以上のように、本実施の形態においてはドレンパンと吹出し口にある吹出しダクトフランジが一体で成型されたことにより、隙間発生を防止するためのシール材等が不要となり、安価で組み立て工数が低い室内ユニットの生産が可能となる。
【産業上の利用可能性】
【００２１】
以上のように、本発明にかかる空気調和機は、室内ユニット本体内部に送風機と仕切板と熱交換器とドレンパンとを備え、吹出し口に吹出しダクトフランジを備えたダクト型空気調和機において、ドレンパンと室内ユニット本体の外郭を形成する底板とが一体で成型されたことにより、ドレンパンと室内ユニット本体との固定に必要なビス等の部材が不要となり、安価で組み立て工数が低くかつ底板とドレンパンとの隙間が発生することがないため、露付き性能のよい室内ユニットの生産が可能となるので、ダクト形以外の空気調和機の用途にも適用できる。
【図面の簡単な説明】
【００２２】
【図１】本発明の実施の形態１における空気調和機の側面断面図
【図２】本発明の実施の形態２における空気調和機の吹出し口下部近傍の断面図
【図３】従来の空気調和機の側面断面図
【図４】従来の空気調和機のドレンパン取付図
【図５】従来の空気調和機の吹出し口下部近傍の断面図
【図６】従来の空気調和機の吹出し口下部近傍のシール材貼付け断面図
【符号の説明】
【００２３】
１  室内ユニット本体
２  送風機
３  仕切板
４  熱交換器
５  ドレンパン
９  底板
１０  吹出しダクトフランジ
１２  吹出し口
【図１】
2006317068.tif 000003
【図２】
2006317068.tif 000004
【図３】
2006317068.tif 000005
【図４】
2006317068.tif 000006
【図５】
2006317068.tif 000007
【図６】
2006317068.tif 000008